(57)【要約】【課題】  マイクロホンの用途に応じてポップ低減フィルタを簡単な作業で適宜交換できるようにする。【解決手段】  マイクロホン挿入穴３０を有する連続気泡体からなるスクリーン本体２０を含み、マイクロホン挿入穴３０を介してマイクロホンＭに直接的に被せられるウインドスクリーンにおいて、マイクロホン挿入穴３０の内部にスクリーン本体２０の連続気泡体とは異なる発泡密度の連続気泡体からなる円盤状のポップ音低減フィルタ４０をマイクロホンＭの０゜方向収音軸に対して直交する状態で着脱自在に収納する。【選択図】  図１
2005347984.tif 000002
【特許請求の範囲】
【請求項１】
マイクロホン挿入穴を有する連続気泡体からなるスクリーン本体を含み、上記マイクロホン挿入穴を介してマイクロホンに直接的に被せられるウインドスクリーンにおいて、
上記マイクロホン挿入穴の内部には、上記スクリーン本体の連続気泡体とは異なる発泡密度の連続気泡体からなる円盤状のポップ音低減フィルタが上記マイクロホンの０゜方向収音軸に対して直交する状態で着脱自在に収納されていることを特徴とするウインドスクリーン。
【請求項２】
上記ポップ音低減フィルタには、上記スクリーン本体の連続気泡体よりも低密度な第１ポップ音低減フィルタと、上記スクリーン本体の連続気泡体よりも高密度な第２ポップ音低減フィルタとが分離可能に含まれていることを特徴とする請求項１に記載のウインドスクリーン。
【請求項３】
上記各ポップ音低減フィルタは、上記マイクロホンの先端側から見て第１ポップ音低減フィルタ，第２ポップ音低減フィルタの順に配置されていることを特徴とする請求項２に記載のウインドスクリーン。
【請求項４】
上記ポップ音低減フィルタは上記マイクロホンの口径よりも大径であり、上記マイクロホン挿入穴の底部には、上記ポップ音低減フィルタを収納するための拡径されたフィルタ収納部が形成されていることを特徴とする請求項１，２または３に記載のウインドスクリーン。
【請求項５】
上記請求項１ないし４のいずれか１項に記載のウインドスクリーンを有するマイクロホン。
【発明の詳細な説明】
【技術分野】
【０００１】
本発明は風切り音やポップ音などの風雑音を低減する目的でマイクロホンに取り付けられるウインドスクリーンに関し、さらに詳しく言えば、特にポップ音の発生を効果的に防止し得るウインドスクリーンに関する。
【背景技術】
【０００２】
マイクロホンは到来する音波を振動板の振動として捉えそれを電気信号に変換するが、例えば屋外での収音時には風によっても振動板が振動して風切り音が発生する。また、ボーカルマイクロホンの場合には、口元近くでＰやｔの音が発音されるとその音圧によって振動板が強く振動しポップ音が発生する。
【０００３】
そこで、屋外収音や口元近くで使用されるマイクロホンには風雑音の発生を低減させるためウインドスクリーンがよく用いられる。多くの場合、ウインドスクリーンには発泡ウレタンなどの連続気泡体が用いられる。
【０００４】
ウインドスクリーンには多くの形態が存在するが、特許文献１にはウインドスクリーン全体を連続気泡体で一体に形成してなる単一素材型のウインドスクリーンが提案されている。また、特許文献２にはウインドスクリーンを第１発泡樹脂ウインドスクリーンと第２発泡樹脂ウインドスクリーンとの組み合わせとした複合型（二重型）のウインドスクリーンが提案されている。
【０００５】
【特許文献１】実公平１−３４４７０号公報
【特許文献２】特開昭５９−１４６２９４号公報
【発明の開示】
【発明が解決しようとする課題】
【０００６】
特許文献１に記載の単一素材型のウインドスクリーンの場合、ポップ音対策として切欠き部からなる空気層を備えているが、実用的な効果を得るにはある程度の大きさが必要であるため小型化の要望に応えることが難しい。
【０００７】
また、特許文献２に記載の複合型のウインドスクリーンによれば、マイクロホンの周波数応答を考慮して素材を選択して組み合わせることは可能であるが、ウインドスクリーン全体をガードメッシュ（金網製の風防）内に収納しているため、組み合わせを変える際の交換作業に難点がある。そればかりでなく、ガードメッシュをウインドスクリーンの収納ケースとしているため、ガードメッシュを備えていないマイクロホンには適用できない。
【０００８】
そこで、本発明の課題は、複合型ではあるがマイクロホンに対する取り付けが極めて簡単であるとともに、マイクロホンの用途に合わせて材質を適宜交換でき、しかも製造コストが安価であるウインドスクリーンを提供することにある。
【課題を解決するための手段】
【０００９】
上記課題を解決するため、請求項１に記載の発明は、マイクロホン挿入穴を有する連続気泡体からなるスクリーン本体を含み、上記マイクロホン挿入穴を介してマイクロホンに直接的に被せられるウインドスクリーンにおいて、上記マイクロホン挿入穴の内部には、上記スクリーン本体の連続気泡体とは異なる発泡密度の連続気泡体からなる円盤状のポップ音低減フィルタが上記マイクロホンの０゜方向収音軸に対して直交する状態で着脱自在に収納されていることを特徴としている。なお、マイクロホンの０゜方向収音軸は振動板の中心軸と一致している。
【００１０】
請求項２に記載の発明は、上記請求項１において、上記ポップ音低減フィルタには、上記スクリーン本体の連続気泡体よりも低密度な第１ポップ音低減フィルタと、上記スクリーン本体の連続気泡体よりも高密度な第２ポップ音低減フィルタとが分離可能に含まれていることを特徴としている。
【００１１】
ここで、低密度とは単位長さ当たりのセル数（気泡数）がスクリーン本体のセル数よりも少ない場合をいい、高密度とは単位長さ当たりのセル数（気泡数）がスクリーン本体のセル数よりも多い場合をいう。
【００１２】
請求項３に記載の発明は、上記請求項２において、上記各ポップ音低減フィルタは、上記マイクロホンの先端側から見て第１ポップ音低減フィルタ，第２ポップ音低減フィルタの順に配置されていることを特徴としている。
【００１３】
請求項４に記載の発明は、上記請求項１，２または３において、上記ポップ音低減フィルタは上記マイクロホンの口径よりも大径であり、上記マイクロホン挿入穴の底部には、上記ポップ音低減フィルタを収納するための拡径されたフィルタ収納部が形成されていることを特徴としている。
【００１４】
請求項５において、本発明には上記請求項１ないし４のいずれか１項に記載のウインドスクリーンを有するマイクロホンも含まれる。
【発明の効果】
【００１５】
請求項１に記載の発明によれば、スクリーン本体内に形成されたマイクロホン挿入穴にポップ音低減フィルタを着脱自在に設けたことにより、スクリーン本体を支持具としてポップ音低減フィルタをマイクロホンに装着することができ、マイクロホンの性能を落とすことなくポップノイズを低減することができる。また、スクリーン本体をも小型化することが可能となる。
【００１６】
請求項２に記載の発明によれば、高密度なポップ音低減フィルタと低密度なポップ音低減フィルタの２種類のポップ音低減フィルタを備えることにより、マイクロホンの用途に合わせて簡単にポップ音低減フィルタを使い分けることができる。
【００１７】
請求項３に記載の発明によれば、マイクロホン側に低密度なポップ音低減フィルタを配置し、その上に高密度なポップ音低減フィルタを配置したことにより、マイクロホンの収音特性を低下させずにポップノイズを効果的に低減することができる。
【００１８】
請求項４に記載の発明によれば、ポップ音低減フィルタのスクリーン本体からの脱落を確実に防止できる。また、マイクロホン挿入穴の底部側を拡径するだけでよいためスクリーン本体を安価に生産することができる。
【００１９】
請求項５に記載の発明によれば、用途に応じて風雑音低減特性を変えることができるマイクロホンが提供される。
【発明を実施するための最良の形態】
【００２０】
次に、図１および図２を参照して本発明の実施形態について説明するが、本発明はこれに限定されるものではない。図１は本発明によるウインドスクリーンを示す分解斜視図，図２はウインドスクリーンの縦断面図である。
【００２１】
このウインドスクリーン１０はウレタンフォームなどの連続気泡体からなるスクリーン本体２０を備えている。この例において、スクリーン本体２０はほぼ円柱状に形成されており、その下端側にはマイクロホンＭを挿入するためのマイクロホン挿入穴３０が非貫通穴として穿設されている。すなわち、スクリーン本体２０はマイクロホン挿入穴３０を介してマイクロホンＭに直接的に被せられる。
【００２２】
スクリーン本体２０には特許文献１に記載のウインドスクリーンと同じく、ポップ音低減用の空気層を形成する切欠部２１が環状に設けられてよいが、これとは別に、本発明ではマイクロホン挿入穴３０内にポップ音低減フィルタ４０が着脱自在に収納される。
【００２３】
なお図１において、スクリーン本体２０は説明の都合上中央で縦に２分割された状態で表されているが、実際にはスクリーン本体２０は一体的に形成することができる。また、スクリーン本体２０は例えば球状に形成されてもよい。マイクロホンＭはコンデンサマイクロホン，ダイナミックマイクロホンのいずれであってもよい。
【００２４】
ポップ音低減フィルタ４０は円盤状に形成され、マイクロホンＭの先端部（収音部）にその０゜方向収音軸に対して直交するように配置される。なお、０゜方向収音軸はマイクロホンＭが備えている図示しない振動板の中心軸と一致している。
【００２５】
この例では好ましい態様として、ポップ音低減フィルタ４０には第１ポップ音低減フィルタ４１と第２ポップ音低減フィルタ４２の２つのフィルタが分離可能に含まれる。第１ポップ音低減フィルタ４１および第２ポップ音低減フィルタ４２はいずれも連続気泡体よりなるが、スクリーン本体２０を構成する連続気泡体に対して、第１ポップ音低減フィルタ４１は低密度であり、第２ポップ音低減フィルタ４２は高密度である。
【００２６】
例えば、スクリーン本体２０の連続気泡体にブリヂストン社製の製品名エバーライトＳＦ−ＨＲ５０（単位長さ２５ｍｍあたりのセル数：４７以上５３以下）が用いられるとすると、第１ポップ音低減フィルタ４１の連続気泡体にはスクリーン本体２０よりも低密度のブリヂストン社製ポリウレタンフォーム：エバーライトＳＦ−ＨＲ３０（単位長さ２５ｍｍあたりのセル数：２７以上３３以下）が用いられる。
【００２７】
これに対して、第２ポップ音低減フィルタ４２の連続気泡体にはスクリーン本体２０よりも高密度のブリヂストン社製ポリウレタンフォーム：エバーライトＳＦ−ＨＺ８０（単位長さ２５ｍｍあたりのセル数：７０以上）が用いられる。
【００２８】
各ポップ音低減フィルタ４１，４２はマイクロホンＭ側から見て低密度の第１ポップ音低減フィルタ４１，高密度の第２ポップ音低減フィルタ４２の順に配置されていることが好ましい。
【００２９】
すなわち、低密度の第１ポップ音低減フィルタ４１をマイクロホンＭ側に配置し、その上に高密度の第２ポップ音低減フィルタ４２を配置することにより、ポップ音の音圧は高密度の第２ポップ音低減フィルタ４２にて大幅に減衰されたのち低密度の第１ポップ音低減フィルタ４１を経てマイクロホンＭに伝達されるため、音質を損なうことなくポップノイズを低減することができる。
【００３０】
ポップ音低減フィルタ４０（第１，第２ポップ音低減フィルタ４１，４２）の外径はマイクロホンＭの口径とほぼ同じであってもよいが、マイクロホン挿入穴３０からの脱落を防止するうえでマイクロホンＭの口径よりも大径とし、マイクロホン挿入穴３０の底部（図１，図２においては上部）に球根状に拡径されたポップ音低減フィルタ４０のフィルタ収納部３２を形成することが好ましい。
【００３１】
すなわち、マイクロホン挿入穴３０はスクリーン本体２０がマイクロホンＭから容易に脱落しないようにマイクロホンＭに対してきつく嵌合するマイクロホン保持部３１を備えているが、マイクロホン挿入穴３０の底部側にマイクロホン保持部３１よりも大径としたフィルタ収納部３２を形成してポップ音低減フィルタ４０を収納する。ポップ音低減フィルタ４０は連続気泡体で容易に変形するため、ピンセットなどを用いて簡単に着脱することができる。
【００３２】
以上、図示の例により本発明を説明したが、別の例としてポップ音低減フィルタ４０には１つもしくは３つ以上のポップ音低減フィルタが含まれてよい。また、複数のポップ音低減フィルタを含む場合、その中に同一密度のものが含まれてもよい。例えば、同一密度のポップ音低減フィルタを２枚重ね，３枚重ねとして使用する態様も本発明に含まれる。
【図面の簡単な説明】
【００３３】
【図１】本発明の一実施形態に係るウインドスクリーンを示す分解斜視図。
【図２】上記実施形態に係るウインドスクリーンの中央縦断面図。
【符号の説明】
【００３４】
１０  ウインドスクリーン
２０  スクリーン本体
２１  切欠部
３０  マイクロホン挿入穴
３１  マイクロホン保持部
３２  フィルタ収納部
４０  ポップ音低減フィルタ
４１  第１ポップ音低減フィルタ
４２  第２ポップ音低減フィルタ
Ｍ  マイクロホン
【図１】
2005347984.tif 000003
【図２】
2005347984.tif 000004